(57)【特許請求の範囲】
【請求項１】
並列状に複数台配置してモニターを載置するベースモジュールと、このベースモジュール上に載置するモニターを収納し、ベースモジュール上に積み重ねる複数段の収納モジュールとで構成され、これらベースモジュールと収納モジュールとを複数個組み合わせ、複数台のモニターを並列、且つ複数段のレイアウトに配置するモニター監視用ラックにおいて、前記収納モジュールは、ベースモジュールの上に複数台の収納モジュールを積み重ね配置する積重タイプの収納モジュールに、モニターの表示画面を覆う透明なカバー体を開閉自在に設けた片面開口タイプの収納モジュールと、このカバー体に加え、モニターの後端部側に位置する背面板を開閉自在に設けた両面開口タイプの収納モジュールとの中から複数個組み合わせられた構成とし、該収納モジュール内部の左右両側面に複数対の杆体状アングル材を配設し、収納したモニターを固定する固定装置をアングル材に装着し、該アングル材に架設する固定バーと、この固定バーからモニター方向に突出してモニター側面に圧着する圧着体とを備え、一方、ベースモジュールは、収納モジュールを載置する面に、収納モジュールと並べてテーブルを固定した固定タイプのベースモジュールにて構成され、該ベースモジュール内部の左右両側面に複数対の杆体状アングル材を配設し、ベースモジュールに収納モジュールを積み重ねて連結したときに、全てのアングル材が鉛直方向に沿って連結されるように設けたことを特徴とするモニター監視用ラック。
【発明の詳細な説明】
【０００１】
【発明の属する技術分野】
本発明は、コンピューターセンターのシステム監視ルームや、セキュリティセンターの監視ルームなど、モニターの集中監視を行っているセクションで使用されるモニター監視用ラックに関する。
【０００２】
【従来の技術】
コンピューターセンターのシステム監視ルームや、セキュリティセンターの監視ルームなどでは、多数のモニターを集中監視している。この場合、各種モニターは、一般のテーブルを並べ、このテーブルにモニターを載せて使用したり、あるいは、特注のラックを製造し、このラックにモニター等を収納する方法が採用されていた。
【０００３】
一方、特開平７−２３１８１４に示される人間工学的オペレータインターフェースステーションでは、半円形状に形成するように相互結合される複数のコンソールと、コンピュータによってプロセス監視を表示するモニターウイングコンソールとを設けた監視装置が開示されている。この監視装置によると、オペレーターが使用する装置を適切に設計するには、装置を使い易くすると同時に緊張及び疲労を最小限に抑えるように道具及び装置を設計することが必要であるとして提案され、人間工学に基づいた調節ができるオペレータワークステーションを提供している。
【０００４】
また、コンピュータシステムを構成する複数の機器をまとめて一体的に収容することができるコンピュータシステム収納ケースが、特開平１０−９０４４８号公報に記載されている。この収納ケースは、実質的に閉塞されており、その正面部にはモニター表示用開口部が設けられ、収納ケースの内部に、モニター収納室と、プリンタ収納室とを備えたものである。
【０００５】
【発明が解決しようとする課題】
ところが、一般のテーブルを並べて、モニターを載置する方法では、モニターの配置やレイアウトがテーブルの上に限定されてしまうので極めて制限の多い配置にならざるを得ない。また、特注のラックを製造した場合は、効率のよい配置を可能にしてもラック設置後のレイアウトを変更することが困難である。したがって、器材の更新や増設には、ラック全体に修正を加える必要がある。
【０００６】
一方、前記インターフェースステーションは、人間工学に基づいた調節ができるようにしているが、調整の対象になっているのは、キーボードの高さやモニターの角度、あるいはオペレーターの足を載せる台座の高さなどである。このため個々の機器についての調整は可能になっていても、各機器の配置やレイアウトを任意に変更可能にしようとするものではなかった。そのため、モニターの位置を変更するとしても、作業台と称するモニター載置用台の位置を変更する程度に限られている。
【０００７】
また、複数の機器をまとめて一体的に収容することができるコンピュータシステム収納ケースは、ひとつのコンピュータシステムを収納することは可能でも、複数のモニターを収納することはできない。特に、複数台のモニターについてのレイアウトや配置を変更する収納ケースではなかった。
【０００８】
しかしながら、コンピューターセンターのシステム監視ルームや、セキュリティセンターの監視ルームのように、多数のモニターを使用して業務を行う部所では、使用するモニターの台数や形状に適した合理的な配置をすることが極めて重要な課題になっている。しかも、コンピュータ機器に使用されるモニターは、ＣＲＴタイプのモニターや液晶タイプのモニターなど、常に改良され新しいタイプのモニターが生み出されている。したがって、この種の業界では改良されるモニターに対応し、常に合理的なレイアウトを実現するための配置変えを余儀なくされている。
【０００９】
そこで、本発明は上述の課題を解消すべく創出されたもので、複数のモニターを中心とする集中監視用の各種器材を自由に配置することができ、設置後のレイアウトの変更も極めて容易に行えるモニター監視用ラックの提供を目的とする。
【００１０】
【課題を解決するための手段】
上述の目的を達成すべく本発明は、並列状に複数台配置してモニターＰを載置するベースモジュール１０と、このベースモジュール１０上に載置するモニターＰを収納し、ベースモジュール１０上に積み重ねる複数段の収納モジュール２０とで構成され、これらベースモジュール１０と収納モジュール２０とを複数個組み合わせ、複数台のモニターＰを並列、且つ複数段のレイアウトに配置するモニター監視用ラックにおいて、前記収納モジュール２０は、ベースモジュール１０の上に複数台の収納モジュール２０を積み重ね配置する積重タイプ２０Ｂの収納モジュール２０に、モニターＰの表示画面を覆う透明なカバー体２１を開閉自在に設けた片面開口タイプ２０Ｃの収納モジュール２０と、このカバー体２１に加え、モニターＰの後端部側に位置する背面板２２を開閉自在に設けた両面開口タイプ２０Ｄの収納モジュール２０との中から複数個組み合わせられた構成とし、該収納モジュール２０内部の左右両側面に複数対の杆体状アングル材１を配設し、収納したモニターＰを固定する固定装置３０をアングル材１に装着し、該アングル材１に架設する固定バー３１と、この固定バー３１からモニターＰ方向に突出してモニターＰ側面に圧着する圧着体３２とを備え、一方、ベースモジュール１０は、収納モジュール２０を載置する面に、収納モジュール２０と並べてテーブル１１を固定した固定タイプ１０Ａのベースモジュール１０にて構成され、該ベースモジュール１０内部の左右両側面に複数対の杆体状アングル材１を配設し、ベースモジュール１０に収納モジュール２０を積み重ねて連結したときに、全てのアングル材１が鉛直方向に沿って連結されるように設けたことにある。
【００１１】
【発明の実施の形態】
以下、図面を参照して本発明の実施の形態を説明する。本発明ラックの基本構成は、複数個のベースモジュール１０と収納モジュール２０とを組み合わせ複数台のモニターＰを並列、且つ複数段のレイアウトに配置することにある（図１参照）。
【００１２】
ベースモジュール１０は、複数台のベースモジュール１０を並列状に配置しこのベースモジュール１０の上に収納モジュール２０を載置する（図２参照）。ベースモジュール１０や収納モジュール２０の並べ方は、図３に示す如く、略円弧状に並べる他、直線状やコ字状などに並べることも可能でありそのレイアウトは自由である。このベースモジュール１０において、内部の左右両側面に複数対の杆体状アングル材１を配設し、このアングル材１に棚板３その他の部材を任意に固定する（図４参照）。
【００１３】
アングル材１は、杆体状を成し、各モジュールの左右側面に対を成して立設状態に固定している。このアングル材１は、ベースモジュール１０のみならず収納モジュール２０の内部にも同様に配設している。そして、ベースモジュール１０に収納モジュール２０を積み重ねて連結したときに、全てのアングル材１が鉛直方向に沿って連結されることで、極めて強固な連結力が発生する（図４乃至図６参照）。またアングル材１表面に多数の固定孔２を等間隔に配することで、アングル材１に、棚板３や固定装置３０（図６参照）の装着を容易にしている。
【００１４】
図５に示すベースモジュール１０では、収納モジュール２０に収納するモニターＰを載せる棚板３を、ベースモジュール１０のアングル材１に固定している。また、図６に示す収納モジュール２０のアングル材１に、モニターＰを固定する固定装置３０を装着している。
【００１５】
この固定装置３０は、収納モジュール２０の内部において、収納したモニターＰを固定する装置であり、ＣＲＴタイプのモニターＰや液晶タイプのモニターＰ、あるいは４２インチＰＤＰなどの大型モニターＰなどを固定する。
【００１６】
図６に示す収納モジュール２０は、液晶タイプのモニターＰを収納するタイプを示し、この収納モジュール２０には、液晶タイプのモニターＰを固定する固定装置３０を装着している。
【００１７】
図７に示す固定装置３０は、ＣＲＴタイプのモニターＰを固定するタイプを示し、左右のアングル材１に架設する固定バー３１と、この固定バー３１からモニターＰ方向に突出してモニターＰ側面に圧着する複数個の圧着体３２とからなる。この圧着体３２は、固定バー３１にねじ止めするボルト状を成し、モニターＰの側面に圧着せしめる頭部３２Ａを手指で回転させることで、容易にモニターＰを固定することができる。
【００１８】
図８に示す固定装置３０は、４２インチＰＤＰなどの大型モニターＰなどを収納する収納モジュール２０のアングル材１に装着したもので、上下一対の固定バー３１に、更に左右一対の連結バー３３を連結し、各連結バー３３の上下端部に設けた固定金具３４にて大型のモニターＰを固定する。
【００１９】
ベースモジュール１０は、図２に示す如く、収納モジュール２０を載置する上面に、収納モジュール２０と並べてテーブル１１を固定した固定タイプ１０Ａのベースモジュール１０である。この固定タイプ１０Ａは、テーブル１１の高さが一定になっており、ベースモジュール１０を横並びにするだけで、各テーブル１１が同一平面を構成することになる（図１参照）。したがって、レイアウトの基本構造を容易に選択できる利点がある。
【００２０】
収納モジュール２０は、ベースモジュール１０上に載置するモニターＰを収納し、ベースモジュール１０上に積み重ねる複数段の収納モジュール２０として構成されている（図１参照）。この収納モジュール２０は、ＣＲＴタイプのモニターＰや液晶タイプのモニターＰ、あるいは４２インチＰＤＰなどの大型モニターＰなど、モニターＰの形状やサイズに合わせて形成するもので、ひとつの収納モジュール２０内に複数のモニターＰを並べて収納する。
【００２１】
図４に示す収納モジュール２０は、モニターＰの表示画面を覆う透明なカバー体２１を開閉自在に設けた片面開口タイプ２０Ｃを示している。したがって図４の収納モジュール２０は、積重タイプ２０Ｂであり、且つ片面開口タイプ２０Ｃでもある。このように、片面開口タイプ２０Ｃは、主に積重タイプ２０Ｂの収納モジュール２０に使用される（図４乃至図６参照）。
【００２２】
また、図１０に示す収納モジュール２０は、両面開口タイプ２０Ｄを示す。この両面開口タイプ２０Ｄは、カバー体２１に加え、モニターＰの後端部側に位置する背面板２２を開閉自在に設けている。両面開口タイプ２０Ｄは、主に一段タイプ２０Ａの収納モジュール２０に使用される（図９参照）。カバー体２１や背面板２２の開閉を容易にするため、特にガススプリング２３を使用しているが、開閉手段は任意に変更することができる。
【００２３】
このように、収納モジュール２０において、片面開口タイプ２０ＣのモニターＰの表示画面を覆う透明なカバー体２１により、モニターＰの表示面を保護すると共に、このカバー体２１を開放してモニターＰを入れ替えすることも可能になる。また、両面開口タイプ２０Ｄによると、収納モジュール２０の背面板２２を開閉してモニターＰにアクセスできるので、モニターＰの調整や交換などの作業を容易ならしめるものである。
【００２４】
【発明の効果】
本発明は、上述の如く構成したことにより当初の目的を達成する。すなわち、ベースモジュール１０と収納モジュール２０とを複数個組み合わせ、複数台のモニターＰを並列、且つ複数段のレイアウトに配置するので、複数のモニターＰを中心とする集中監視用の各種器材を自由に配置することができる。しかも設置後のレイアウトの変更も極めて容易に行える。
【００２５】
収納モジュール２０として、ベースモジュール１０の上に複数台の収納モジュール２０を積み重ね配置する積重タイプ２０Ｂの収納モジュール２０を構成し、ベースモジュール１０内部の左右両側面に複数対の杆体状アングル材１を配設し、ベースモジュール１０に収納モジュール２０を積み重ねて連結したときに、全てのアングル材１が鉛直方向に沿って連結されるように設けたことで、極めて強固な連結力が発生する。このことから、上方へ任意に積み重ねることが可能になり、レイアウトの選択肢を広げることができた。
【００２６】
収納モジュール２０において、内部の左右両側面に杆体状アングル材１を配設し、収納したモニターＰを固定する固定装置３０をアングル材１に装着したことで、収納モジュール２０内に収納したモニターＰを収納モジュール２０と一体化させることが可能になり、積重タイプ２０Ｂの収納モジュール２０に収納したモニターＰを一体化できるので、各種レイアウトや配置の変更等を安全に行うことができる。
【００２７】
固定装置３０として、左右のアングル材１に架設する固定バー３１と、この固定バー３１からモニターＰ方向に突出してモニターＰ側面に圧着する圧着体３２とからなる固定装置３０を設けたことで、特に、モニターＰの固定作業を簡略化し、多数のモニターＰを設置する場合でも、設置作業を合理化することができる。しかも、アングル材１と固定バー３１とを利用して、モニターＰの周囲を自由に固定できるので、モニターＰのタイプや大きさに係わらず、高い耐震効果を発揮する。
【００２８】
ベースモジュール１０において、内部の左右両側面に複数対の杆体状アングル材１を配設し、このアングル材１に棚板３を固定することでベースモジュール１０を様々な使用態様に適応させることができる。たとえば、ベースモジュール１０に載置する収納モジュール２０の棚板３を、ベースモジュール１０のアングル材１に固定することも可能であるなど、自由な使用が可能になる。
【００２９】
収納モジュール２０と並べてテーブル１１を固定した固定タイプ１０Ａのベースモジュール１０では、モニターＰの配設位置に係わらずオペレーターの作業スペース０を確保している。
【００３０】
このように本発明によると、複数のモニターを中心とする集中監視用の各種器材を自由に配置することができ、設置後のレイアウトの変更も極めて容易に行えるなどといった有益な種々の効果を奏する。
【図面の簡単な説明】
【図１】  本発明ラックの一実施例を示す斜視図である。
【図２】  本発明ラックの一実施例を示す平面図である。
【図３】  本発明ラックの一実施例を示す側面図である。
【図４】  本発明ラックの使用状態における縦断面図である。
【図５】  本発明ラックの棚板の装着例を示す縦断面図である。
【図６】  本発明ラックの他の実施例を示す縦断面図である。
【図７】  本発明のリフトタイプのベースモジュールと両面開口タイプの収納モジュールとを組み合わせた実施例を示す縦断面図である。
【図８】  本発明の両面開口タイプの開口状態を示す側面図である。
【図９】  本発明の固定装置の一実施例を示す側断面図である。
【図１０】  本発明の固定装置の一実施例を示す側面図である。
【符号の説明】
Ｐ モニター
１ アングル材
２ 固定孔
３ 棚板
１０ ベースモジュール
１０Ａ 固定タイプ
１０Ｂ リフトタイプ
１１ テーブル
１２ 扉
２０ 収納モジュール
２０Ａ 一段タイプ
２０Ｂ 積重タイプ
２０Ｃ 片面開口タイプ
２０Ｄ 両面開口タイプ
２１ カバー体
２２ 背面板
２３ ガススプリング
３０ 固定装置
３１ 固定バー
３２ 圧着体
３３ 連結バー
３４ 固定金具
４０ リフト装置
【図１】
0003909464.tif 000002
【図２】
0003909464.tif 000003
【図３】
0003909464.tif 000004
【図４】
0003909464.tif 000005
【図５】
0003909464.tif 000006
【図６】
0003909464.tif 000007
【図７】
0003909464.tif 000008
【図８】
0003909464.tif 000009
【図９】
0003909464.tif 000010
【図１０】
0003909464.tif 000011